(57)【特許請求の範囲】
【請求項１】
社会的な課題に関する元データに基づき予め２次元または３次元で描画されたグラフと、追加で描画された文字や図形とを含み、
前記グラフの形状はイラストのモチーフの一構成要素をなすように見立てられ、かつ、前記追加で描画された文字や図形により前記モチーフが完成され、
さらに、前記元データに関する情報のＷｅｂページへのリンク先情報を含むリンク先情報表示体を備え、
前記リンク先情報表示体を備える前記イラストを情報処理装置で撮像すると前記リンク先情報に基づく前記Ｗｅｂページが前記情報処理装置の表示部に表示される、
グラフを用いたイラスト。
【請求項２】
社会的な課題に関する元データに基づくグラフを２次元または３次元で印刷媒体またはデジタルに描画するステップと、
前記グラフの形状をイラストのモチーフの一構成要素をなすように見立て、前記グラフに文字や図形を追加して前記イラストのモチーフを完成させるステップと、
前記イラストを情報処理装置で撮像するとＷｅｂページが前記情報処理装置の表示部に表示されるように、前記イラストに前記元データに関する情報の前記Ｗｅｂページへのリンク先情報を含むリンク先情報表示体を付すステップと
を有するグラフを用いたイラストの作製方法。
【発明の詳細な説明】
【技術分野】
【０００１】
本発明は、グラフを利用してイラストを作製する技術に関する。
【背景技術】
【０００２】
社会的な課題として、地球温暖化、資源枯渇、貧困、少子晩婚化、高齢過疎化等の種々のものが挙げられる。
しかし、これらの事象に関心がないわけではないが、これらの事象に関連する情報に触れるきっかけが少ないと感じている人々も多い。
【０００３】
一般に、これらの事象に関する特定の年月日における数値情報は蓄積されて保持されている。
また、それらの数値情報は時系列等のデータとして記録媒体にデジタル的に記録されていることも少なくない。
そして、それらの数値データ（以下、数値情報を含む意味で用いる。）は、視覚に訴えて直観的な理解の容易化等を図るために、例えば、折れ線グラフ等の所定のグラフの形式で表すことが可能である。
【０００４】
ところが、社会的な課題に関する数値について、単なるグラフによる表現では看る者の興味を引くのに十分ではない。
【０００５】
ここで、関連技術として、有色紙を用いて紙を彫ることにより表現された絵画の製造技術が開示されている（特許文献１参照）。
【先行技術文献】
【特許文献】
【０００６】
【特許文献１】特許第４２００４８２号公報
【発明の概要】
【発明が解決しようとする課題】
【０００７】
しかし、上記の関連技術では、グラフによる表現を活かしつつ、看る者の興味を引くのに十分なイラストを実現することは困難である。さらに、グラフの元となる上記の数値情報ないしは数値データに関する情報のＷｅｂページを簡易に閲覧し、当該グラフが何を意味するものであるかを把握し、社会的な課題について考えるきっかけとすることはできなかった。
【０００８】
本発明の目的は、看る者の興味を引き、グラフの元となる数値データに関する情報のＷｅｂページを簡易に閲覧することができるグラフを用いたイラストおよびその作製方法を提供することにある。
【課題を解決するための手段】
【０００９】
本発明のグラフを用いたイラストは、社会的な課題に関する元データに基づき予め２次元または３次元で描画されたグラフと、追加で描画された文字や図形とを含み、
前記グラフの形状はイラストのモチーフの一構成要素をなすように見立てられ、かつ、前記追加で描画された文字や図形により前記モチーフが完成され、
さらに、前記元データに関する情報のＷｅｂページへのリンク先情報を含むリンク先情報表示体を備え、
前記リンク先情報表示体を備える前記イラストを情報処理装置で撮像すると前記リンク先情報に基づく前記Ｗｅｂページが前記情報処理装置の表示部に表示される。
このように構成することにより、２次元または３次元で描画されたグラフに、文字や図形を追加して、イラスト（芸術作品・美術作品等を広く含む。）として完成させ、グラフによる表現を活かしつつ、看る者の興味を引くのに十分なイラストを実現することができる。
また、イラストに上記数値データに関する情報のＷｅｂページへのリンク先情報（例えば、ＵＲＬ情報である。）を含むリンク先情報表示体（例えば、ＱＲコード（登録商標）である。）が付されるため、携帯情報端末やスマートフォン等を多くの人々が所有している近年の状況下では、誰でも気軽に携帯情報端末やスマートフォンのカメラ機能を利用して、気になるイラストを撮影して、イラストに付されたリンク先情報表示体のＵＲＬ情報に基づいて、上記数値データに関する情報のＷｅｂページを携帯情報端末等の表示部に表示させるようにすることができ、Ｗｅｂページを簡易に閲覧し、当該グラフが何を意味するものであるかを把握し、社会的な課題について考えるきっかけとする。
【００１０】
また、本発明のグラフを用いたイラストの作製方法は、社会的な課題に関する元データに基づくグラフを２次元または３次元で印刷媒体またはデジタルに描画するステップと、
前記グラフの形状をイラストのモチーフの一構成要素をなすように見立て、前記グラフに文字や図形を追加して前記イラストのモチーフを完成させるステップと、
前記イラストを情報処理装置で撮像するとＷｅｂページが前記情報処理装置の表示部に表示されるように、前記イラストに前記元データに関する情報の前記Ｗｅｂページへのリンク先情報を含むリンク先情報表示体を付すステップと
を有する。
【発明の効果】
【００１１】
本発明によれば、看る者の興味を引き、グラフの元となる数値データに関する情報のＷｅｂページを簡易に閲覧することができるグラフを用いたイラストおよびその作製方法を提供することができる。
【図面の簡単な説明】
【００１２】
【図１】本発明の実施の形態に係るグラフを用いたイラストの構成を示す図である。
【図２】本発明の実施の形態に係るグラフの元となる数値データの構成を示す図である。
【図３】本発明の実施の形態に係る数値データに関する情報のＷｅｂページの表示画面の一例を示す図である。
【図４】本発明の実施の形態に係るグラフを用いたイラストの作製方法等を示すフローチャートである
【発明を実施するための形態】
【００１３】
以下、本発明の実施の形態を図面を参照しつつ説明する。
本実施の形態におけるグラフを用いたイラストの構成を図１を参照して説明する。
【００１４】
図１（ａ）に示すように、紙などの印刷媒体１にグラフ２が表される。
印刷媒体１は、紙などに限らず、Ｔシャツや小物類などプリンタ装置等により印刷が可能な種々の媒体を含む。
グラフ２は、社会的な課題である、地球温暖化、資源枯渇、貧困、少子晩婚化、高齢過疎化等に関する、元ととなる数値データ（図２も参照）に基づいて表される折れ線グラフである。
グラフ２の表すデータは典型的には社会的な課題に関するものであるが、それに限定されない。
また、グラフ２は２次元の折れ線グラフのみでなく、円グラフや棒グラフ等の２次元や３次元の種々のグラフであってよい。
【００１５】
そして、図１（ｂ）に示すように、紙などの印刷媒体１に表されたグラフ２に、ペン等で文字・図形３を追加して書き込むことでアナログ的にイラスト１０が完成されている。例えば、グラフ２の箇所を髭に見立て、目や口の図柄３−１、３−２、３−３を追加して顔のイラストを完成させることであってもよい。イラスト１０のモチーフは、風景等であっても、特別な意味を有しないデザインであってもよく幅広く表現物を含む。
【００１６】
さらに、図１（ｃ）に示すように、イラスト１０に上記数値データに関する情報のＷｅｂページへのリンク先情報としてのＵＲＬ情報を含むリンク先情報表示体としてのＱＲコード（登録商標）４が付されている。
ＱＲコード（登録商標）４は、印刷や、別体のシール等が貼着されること等により付される。
ＱＲコード（登録商標）４の位置は、印刷媒体１の隅の部分であれば邪魔にならなく好適であるが任意の場所に付されてよい。
リンク先情報表示体としてはＱＲコード（登録商標）４に限らず、所定のＷｅｂページが表示できるように案内する機能を有していればどのようなものであってもよい。
【００１７】
図２にグラフ２を形成するための元となる数値データの構成を示す。ここでは、所定の年月日における貧困者数の数値データを示している。このように記録されている数値情報から所定の情報処理装置に個々の数値を入力してグラフ４を形成してアウトプットさせることであってもよいし、図２に示すようなテーブル構造に一連の数値データが予め格納されており、所定の情報処理装置がそのデータを読み出してグラフ４を形成してアウトプットさせることであってもよい。
なお、数値データは典型的には社会的な課題に関するものであるが、それに限定されない。
【００１８】
図３に情報処理装置（例えば、携帯端末、スマートフォン）２０の表示部の表示画面の一例を示す。画面には、ＱＲコード（登録商標）４が付されたイラスト１０を情報処理装置２０で撮像して、ＱＲコード（登録商標）４で示されたＵＲＬ情報に基づくＷｅｂページが表示されている。このＷｅｂページは、グラフ２を形成するための元となる数値データ（所定の年月日における貧困者数）に関する情報が載っているインターネット上のものである。
【００１９】
次に、図４を参照して本実施の形態に係るグラフを用いたイラストの作製方法および活用方法等のフローを説明する。
【００２０】
まず、図１（ａ）に示すようなグラフ２を作成する（Ｓ４０１）。その際には、図２に示すようなグラフ２を形成するための元となる数値データを利用する。
そして、紙などの印刷媒体１にグラフ２を印刷して表す。
【００２１】
次に、図１（ｂ）に示すように、紙などの印刷媒体１に表されたグラフ２に、ペン等で文字や図形３を追加して書き込むことでアナログ的にイラスト１０を完成する（Ｓ４０２）。
すると、単なるグラフ２のみによる表現とは異なり、イラスト独自の価値により、幅広い対象者の興味をそそり、より注目してもらうことができる。特に、有名なアーティスト・文化人等が作製した作品であれば、老若男女を問わず様々な階層の人々に訴求することとなる。
【００２２】
さらに、図１（ｃ）に示すように、完成させたイラスト１０の右上隅には、上記数値データに関する情報のＷｅｂページへのリンク先情報としてのＵＲＬ情報を含むリンク先情報表示体としてのＱＲコード（登録商標）４を付す（Ｓ４０３）。例えば、ＱＲコード（登録商標）４を印刷してあるシールを印刷媒体１に貼着することであってもよい。
【００２３】
このようにして作製されたイラスト１０は、例えば、展示会に出品したり、企業とコラボして小物やＴシャツに付されたり、インターネット上のサービスのスタンプとして用いられるなど多様な活用方法がある。そして、ＳＮＳ等を通じてイラスト１０がさらに世の中に加速度的に浸透・普及していく可能性は無限大にある。
【００２４】
次に、イラスト１０を見かけた第三者が、カメラ機能を有する情報処理装置（例えば、携帯端末、スマートフォン）２０によりイラスト１０を撮像する（Ｓ４０４）。
すると、情報処理装置２０の表示部に、例えば図３に示すような、グラフ２を形成するための元となる数値データに関するＷｅｂページが表示される（Ｓ４０５）。
【００２５】
携帯情報端末やスマートフォンを多くの人々が所有している近年の状況下では、誰でも気軽に携帯情報端末やスマートフォンのカメラ機能を利用して、気になるイラスト１０を撮影して、イラストの隅に付されたＱＲコード（登録商標）４のＵＲＬ情報に基づいて、上記数値データに関する情報のＷｅｂページを携帯情報端末等の表示部に表示させるようにすることができ、社会的な課題ないし現象の関連情報に触れるきっかけを身近に生み出すことに繋がる。
【００２６】
また、変形例として、パーソナルコンピュータ（ＰＣ）等の情報処理装置の表示部にデジタルで表示されたグラフ２にデジタル処理による描画により文字や図形等を追加してデジタルデータとしてイラスト１０を完成することであってもよい。
ＰＣは周知の構成としてキーボートやマウス等の入力装置、モニタ等の出力装置、タッチパネル等の入出力装置、中央演算処理装置（ＣＰＵ）、主記憶装置、補助記憶装置等を備え、例えば、以下の機能を実現することができる。
ＰＣの数値データ取得部は、所定のデータベースから社会的な課題ないし現象等の数値データ（グラフ作成の元になるデータ）を取得する。グラフ作成部は、数値データに基づいて所定のグラフを作成し、表示部はグラフとして表示する。ＰＣ操作者（イラスト作成者）は、ＰＣの表示部に表示されたグラフを見ながら、マウス等の入力部を操作して、付加表示体（文字・記号・図形等を広く含む）を描画して表示部に追加して表示させながらイラストを完成させる。すなわち、ＰＣの図形等追加部は、マウス等の入力部の操作に応じて、文字や図形等をデジタル処理して生成して表示部に描画し、完成したイラストをデジタルデータとして所定の記憶部に記憶する。出力部は、イラストのデジタルデータをプリンタに出力して紙媒体に印刷したり、ネットワーク上の他の装置へデータ送信したりする。
【００２７】
上述のとおり、本実施の形態によれば、２次元または３次元で描画されたグラフによる表現を活かしつつ、看る者の興味を引くのに十分なイラストを実現することができる。
また、イラストに付されたリンク先情報表示体のＵＲＬ情報に基づいて、上記数値データに関する情報のＷｅｂページを携帯情報端末等の表示部に表示させるようにすることができ、Ｗｅｂページを簡易に閲覧し、当該グラフが何を意味するものであるかを把握し、社会的な課題について考えるきっかけとすることができる。
【００２８】
なお、上述する各実施の形態は、本発明の好適な実施の形態であり、本発明の要旨を逸脱しない範囲内において種々変更実施が可能である。例えば、各装置・システムの機能を実現するためのプログラムを各装置・システム等に読込ませて実行することにより各装置・システム等の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線等を介して伝送波により他のコンピュータシステムに伝送されてもよい。また、一部のシステムが人の動作を介在して実現されてもよい。
【符号の説明】
【００２９】
１                                印刷媒体
２                                グラフ
３（３−１、３−２、３−３、）    文字・図形（図柄）
４                                ＱＲコード（登録商標）
１０                              イラスト
２０                              情報処理装置
【要約】
【課題】看る者の興味を引き、グラフの元となる数値データに関する情報のＷｅｂサイトを簡易に閲覧することができるグラフを用いたイラストおよびその作製方法を提供すること。
【解決手段】予め２次元または３次元で描画された元データに基づくグラフと、追加で描画された文字や図形とを含み、さらに、前記元データに関する情報のＷｅｂページへのリンク先情報を含むリンク先情報表示体を備え、前記リンク先情報表示体を備えるイラストを情報処理装置で撮像すると前記リンク先情報に基づく前記Ｗｅｂページが前記情報処理装置の表示部に表示される、グラフを用いたイラスト。
【選択図】図１【図１】
0006116081.tif 000002
【図２】
0006116081.tif 000003
【図３】
0006116081.tif 000004
【図４】
0006116081.tif 000005